(57)【要約】本発明はポリエステルを媒体として転写した固形物に関するものである。ポリエステルを媒体として転写した固形物は、平面状を有する成形物ベース層と、前記成形物ベース層の上面に位置して印刷を誘導するように、ポリエステルと色素部材が均一に混合され、かつ含沈されてコーティングされたポリエステル混合層と、前記ポリエステル混合層の上面に位置し、所定の文様と色彩と有する単一の印刷層と、を含む。本発明に係るポリエステルを媒体として転写した固形物は、多様な形態を有するベース層の上面に、ポリエステルと消費者の好みに応じた多様な色素部材を混合して所定の文様を印刷するので、生産者は卓越した色感を持った平面または立体成形物を提供して消費者の好みを満たすことができ、接着剤層または離型層等を別に備える必要がないので、その製造方法が非常に簡単で、生産の効率性が極大化できる。
2004508219.tif 000002
【特許請求の範囲】
【請求項１】
平面状を有する成形物ベース層と、
前記成形物ベース層の上面に位置して印刷を誘導するように、ポリエステルと色素部材が均一に混合され、かつ含沈されてコーティングされたポリエステル混合層と、
前記ポリエステル混合層の上面に位置し、所定の文様と色彩と有する単一の印刷層と、を含むポリエステルを媒体として転写した固形物。
【請求項２】
多様な形状と厚さを有するベース層を更に含む請求項１に記
載のポリエステルを媒体として転写した固形物。
【請求項３】
前記ポリエステル混合層に蛍光色を誘導する畜光剤を更に含む請求項１に記載のポリエステルを媒体として転写した固形物。
【請求項４】
前記ポリエステル混合層に特有の天然色を誘導する玉または脈斑石を更に含む請求項１に記載のポリエステルを媒体として転写した固形物。
【請求項５】
前記単一の印刷層の表面に光沢を誘導するために、コーティング処理した単一の印刷層を更に含む請求項１に記載のポリエステルを媒体として転写した固形物。
【請求項６】
前記単一の印刷層の表面は、エンボシング処理される請求項１に記載のポリエステルを媒体として転写した固形物。
【請求項７】
前記所定の文様と色彩は、単一の印刷層の転写紙により転写される請求項１に記載のポリエステルを媒体として転写した固形物。
【請求項８】
前記単一の印刷層は、陽刻または陰刻のいずれかで形成される請求項１に記載のポリエステルを媒体として転写した固形物。
【発明の詳細な説明】
【０００１】
（技術分野）
本発明は、ポリエステルを媒体として転写した固形物に関するもので、より詳細には、ポリエステルに多様な色素部材を混合し、かつ含沈してコーティングすることによって、優れた色感を有するポリエステルを媒体として転写した固形物に関するものである。
【０００２】
（背景技術）
一般的に、印刷物は、これを見る人に視覚的に優れた効果を与えるために、多様な模様及び形状と耐久性及び色彩を有しており、広告用品やデコレーション用品またはアクセサリー等に使われる。
【０００３】
時代の変化に応じて、消費者は多数の物や広告用品を接するようになるが、この際、消費者の目を引き付ける印刷物または立体成形物がないので、それについての必要性が切実に要求されてきたことが事実である。このような要求事項により、幾つかの印刷物を製造して使用している。従来の印刷物及び立体成形物に関し説明すれば次の通りである。
【０００４】
第一に、従来の立体成形物は図１に示すように、所定の立体形状を成形するために所定のモールド枠に石膏液を注入して形成したゴムモールド枠と、一定時間の硬化後に、ゴムモールド枠から分離した石膏と、石膏で形成された立体成形物の全面に樹脂を圧着して形成した樹脂モールド枠２０１と、を含む。ここで、樹脂モールド枠の内には、その枠から合成樹脂の立体成形物２０３を分離するために離型材２０５が備われており、かつ合成樹脂の立体成形物には多数の色相を有する流体性色素部材を個別的な手作業で直接ペインティングすることによって、そのペインティングされた立体物２０３の形状が視覚的に目立つようにする。しかし、これらの立体成形物は合成樹脂の立体成形物の表面に手作業で色相を描き入れなければならないため、工程が煩わしくなり、長い製造時間及び高いコストを必要とするだけでなく、与えられた外力やキズなどによりペンキが消えかけていたり剥げ落ちて外観が醜い問題点がある。
【０００５】
第二に、前述した問題点を解決するために、図２に示すような印刷物が提案されており、これは合成樹脂の立体成形物２０３の表面に描くべき文様が形成された薄膜２０９を直接転写するか、または接着して製造する。また、平面印刷物を製造する場合、ベース層、接着剤層、印刷層、及び薄膜層を用いて製造した。このような方法で製造した印刷物は、その物が厚くて使用が不便であり、製造工程が複雑である問題点がある。したがって、これらの平面及び立体成形物は単調な立体面や成形面には容易に接着できるが、その製造工程が煩雑で、複雑な立体面には使用が不可能であり、かつ立体成形物の位置に薄膜や転写紙に形成された絵の正確な位置を一致させることが非常に難しい問題点がある。
【０００６】
これにより、本出願人は１９９８年出願（韓国特許出願第１９９８−００３２８１１号）して登録を受けた（韓国特許第０２５６８４８号）立体成形物及びその製造方法を考案した。この特許に開示した立体成形物は陰刻と陽刻のうち、少なくともいずれかの形態を有する成形部材と、形状に相応する所定の文様が、形態の一側面から成形部材の所定の深さだけ含沈されてコーティングされている色素部材を含む。また、この立体成形物の製造方法は、樹脂シートを準備する段階と、この樹脂シート上に少なくとも一つの色相を有する文様を塗布する段階と、文様に向けて、それに相応する模様を有する陽刻と陰刻のうち、少なくともいずれかの立体成形モールド枠を形成し、立体成形モールド枠に合成樹脂液を文様に塗布する段階と、合成樹脂と文様の接触部位に、色相が合成樹脂に含沈されてコーティングされるように硬化する段階と、を含む。このような製造方法で製作した立体成形物は、単層転写紙を用いて製作上の煩雑さを減らすと共に、小型の場合には製作が有利であるが、立体成形物の製作時、その製造工程が複雑であり、制作物が大型の場合、合成樹脂自体の重量が多くて製作工程が難しく使用が不便であり、薄板の場合、製品が曲がったり折れる等の不良が生じるだけでなく、色相の調和が不安定して、消費者に満足した色感を与えることができない問題点がある。
【０００７】
（発明の開示）
本発明の目的は、ポリエステルに多様な色素部材を混合し、かつ含沈してコーティングしてオフセット技法とポリエステルの硬化特性を用いて色感に優れたポリエステルを媒体として転写した固形物を提供することにある。
【０００８】
この目的を達成するためのポリエステルを媒体として転写した固形物は、平面状を有する成形物ベース層と、前記成形物ベース層の上面に位置して印刷を誘導するように、ポリエステルと色素部材が均一に混合され、かつ含沈されてコーティングされたポリエステル混合層と、前記ポリエステル混合層の上面に位置し、所定の文様と色彩と有する単一の印刷層と、を含む。
【０００９】
好ましくは、多様な形状と厚さを有するベース層を更に含む。
【００１０】
好ましくは、前記ポリエステル混合層に蛍光色を誘導する畜光剤を更に含む。
【００１１】
好ましくは、前記ポリエステル混合層に特有の天然色を誘導する玉または脈斑石を更に含む。
【００１２】
好ましくは、前記単一の印刷層の表面に光沢を誘導するために、コーティング処理した単一の印刷層を更に含む。
【００１３】
好ましくは、前記単一の印刷層の表面は、エンボシング処理される。
【００１４】
好ましくは、前記所定の文様と色彩は、単一の印刷層の転写紙により転写される。
【００１５】
好ましくは、前記単一の印刷層は、陽刻または陰刻のいずれかで形成される。
【００１６】
（発明を実施するための最良の形態）
以下、図面を参照しながら本発明のポリエステルを媒体として転写した固形物について詳細に説明する。
【００１７】
本発明に係るポリエステルを媒体として転写した固形物は、成形物ベース層と、ポリエステル混合層と、単一の印刷層と、を含む。
【００１８】
成形物ベース層１０１は木材などの多様な素材を使用した平面層として、錬磨、塗布の工程を別に経ずに使用できる。
【００１９】
ポリエステル混合層１０２は成形物ベース層１０１の上面に位置して印刷を誘導するように、ポリエステルと色素部材が均一に混合され、かつ含沈されてコーティングされている。ここで、色素部材とは、多様な顔料をはじめ、消費者の好みを満たすことができる材料を言う。例えば、消費者が暗い所でも物の識別が可能にするために蛍光色を要求する場合は、ポリエステルと畜光剤を混合して製作できる。そして、独特の天然色を有する玉または脈斑石とポリエステルを混合して製作することによって、消費者の好みを満たすことができる。
【００２０】
単一の印刷層１０３はポリエステル混合層１０２の上面に位置し、所定の文様と色彩を持っている。ここで、単一の印刷層１０３の形成時、 成形物ベース層１０１にポリエステル混合物１０２を塗布した後、直ぐに単一の印刷層１０３の転写紙をポリエステル混合物層１０２に塗布して転写するようになり、転写した後、単一の印刷層１０３の転写紙は分離する。このような、単一の印刷層は陽刻または陰刻または平面を含む多様な形態で形成される。
【００２１】
また、本発明の表面処理のために、単一の印刷層の表面に光沢を誘導するエンボシング処理を行って、この固形物の雰囲気を変えることもできる。
【００２２】
以上のように、本発明のポリエステルを媒体として転写した固形物は、離型層または接着層を別に備えず、単一の印刷層で印刷するので、製造工程が簡単で、製造時間の短縮及びコストの低減が可能であり、消費者の好みを満たせる多様な色感を表現することができて、使用時に使用者の便利性を極大化する。
【００２３】
本発明に係るポリエステルを媒体として転写した固形物は、多様な形態を有するベース層の上面に、ポリエステルと消費者の好みに応じた多様な色素部材を混合して所定の文様を印刷するので、生産者は卓越した色感を持った平面または立体成形物を提供して消費者の好みを満たすことができ、接着剤層または離型層等を別に備える必要がないので、その製造方法が非常に簡単で、生産の効率性が極大化できる。
【図面の簡単な説明】
【図１】図１は従来のゴムモールド枠を使って転写した立体成形物の斜視図である。
【図２】図２は従来の薄膜を使って転写した印刷物の斜視図である。
【図３】図３は本発明のポリエステルを媒体として転写した固形物を説明する斜視図である。
【国際公開パンフレット】
2004508219.tif 000003
2004508219.tif 000004
2004508219.tif 000005
2004508219.tif 000006
2004508219.tif 000007
2004508219.tif 000008
2004508219.tif 000009
2004508219.tif 000010
2004508219.tif 000011
2004508219.tif 000012
2004508219.tif 000013
2004508219.tif 000014
2004508219.tif 000015
【国際調査報告】
2004508219.tif 000016
2004508219.tif 000017